(57)【要約】【課題】係合インジケータを備えたファスナーカプラを提供する。【解決手段】  開口端で第１ファスナーを受入れる第１内部キャビティを規定している壁部を備えている本体、そして、基部、前記基部の少なくとも１つの側部から上方へ向かって延在している少なくとも１つの腕部、そして前記腕部に接続された少なくとも１つのインジケータ部を含むインジケータとを有しているファスナーカプラであって、  前記基部と前記腕部とは少なくとも部分的に前記内部キャビティ内に収容され、そして前記インジケータ部は前記開口端の周縁部にて露出しており、また前記基部が内側へ押圧されたときに、前記インジケータ部は前記周縁部において見えなくなる。【選択図】  図１
2019078404.tif 000002
【特許請求の範囲】
【請求項１】
ファスナーカプラであって、
第１内部キャビティの開口端で第１ファスナーを受入れる前記第１内部キャビティを規定している壁部を備えている本体と、
基部、前記基部の少なくとも１つの側部から上方へ向かって延在している少なくとも１つの腕部、そして前記腕部に接続された少なくとも１つのインジケータ部を備えたインジケータとを有して、
前記基部と前記腕部とは少なくとも部分的に前記第１内部キャビティ内に収容され、そして前記インジケータ部は前記開口端の周縁部にて露出しており、
前記基部が内側へ押圧されたときに、前記インジケータ部は前記周縁部において見えなくなることを特徴とする、ファスナーカプラ。
【請求項２】
前記インジケータが、前記基部の異なる側部から上方へ向かって延在している複数の腕部を含み、
少なくとも１つの前記インジケータ部は前記複数の腕部の少なくとも１つに接続され、そして、前記複数の腕部は前記基部の周囲に実質的に等間隔で配設されていることを特徴とする、請求項１に記載のファスナーカプラ。
【請求項３】
前記複数の腕部は外側へ向かって展開し、前記壁の内側の側面に対して係合して押込むことを特徴とする、請求項１に記載のファスナーカプラ。
【請求項４】
前記本体は、前記腕部を収容する前記壁部の内側に長手方向に形成された少なくとも１つの案内溝を備えることを特徴とする、請求項１に記載のファスナーカプラ。
【請求項５】
前記案内溝の最小深さは、前記腕部の厚みと同等であることを特徴とする、請求項４に記載のファスナーカプラ。
【発明の詳細な説明】
【技術分野】
【０００１】
本発明は、ファスナーカプラに関し、より詳細には係合インジケータを備えたファスナーカプラに関する。
【背景技術】
【０００２】
壁や天井のようなターゲット構造にエアコン、照明設備あるいはパイプのような目的物を掛けるためのアンカーシステムにおいて、ファスナーカプラ、例えば長ナットがしばしば使用されている。長ナットは通常、ターゲット構造に固定されるアンカーに締付けされる一端側、そして、目的物を掛けるためボルト用ねじ山が形成さている他端側を含んでいる。ボルトは、アンカーシステムの効果を確実のものとするのに、長ナットの中で所定の係合（ねじ込み）深さを満たす必要がある。
【０００３】
特許文献１には、長ナットとボルトとの間の適切な係合を確認するため長ナットの側壁に確認用孔を備えた長ナットが開示されている。
【先行技術文献】
【特許文献】
【０００４】
【特許文献１】特許第４２９４６９４号明細書
【発明の概要】
【発明が解決しようとする課題】
【０００５】
しかし、上記アンカーシステムが実施された後にあっては、非常に高い天井であるために長ナットと検査者との間に大きな距離があるとか、前記確認用孔が検査者から遠く離れた所であるという状況では、検査者にとって前記の適切な係合を判断することは難しいことになる。更に、長ナットの側壁に孔を形成すると、長ナットの強度に影響を与えることになる。
したがって、係合インジケータを備えた、代替のファスナーカプラを使用することは有利になる。
【課題を解決するための手段】
【０００６】
ひとつの実施形態において、本発明はファスナーカプラを供給するもので、これは、開口端で第１ファスナーを受けるための第１内部キャビティを規定してる壁部を有する本体、および基部、前記基部の少なくとも１つの端部から外に向いて延在している少なくとも１つの腕部、そして前記少なくとも１つの腕部に接続された少なくとも１つのインジケータ部を有しているインジケータを含んでいる。前記基部と前記腕部は、前記第１内部キャビティ内に少なくとも部分的に収納され、そして前記インジケータ部は前記開口端の周縁部に露出され、前記基部が内部へ押圧されたとき前記インジケータ部は前記周縁部において見えなくなる。
【０００７】
本発明は、図面を伴った、以下の好ましい実施例の記述により、目的とその長所と共に、十分に理解されるであろう。
【図面の簡単な説明】
【０００８】
【図１】本発明の一実施形態に係る係合インジケータを備えるファスナーカプラを展開して示している斜視図である。
【図２】本発明の一実施形態に係るインジケータの正面図である。
【図３】本発明の一実施形態に係るインジケータの平面図である。
【図４】本発明の一実施形態に係り、図３のインジケータにおけるＡ−Ａ線での断面を示している図である。
【図５】本発明の一実施形態に係る本体について示している等角図である。
【図６】本発明の一実施形態に係る図１のファスナーカプラが組付けされた状態について示した等角図である。
【図７】本発明の一実施形態に係る図１のファスナーカプラが組付けされた状態について示した平面図である。
【図８】本発明の一実施形態に係り、図７のファスナーカプラにおけるＢ−Ｂ線での断面を示している図である。
【図９】本発明の一実施形態に係り、図１のファスナーカプラと第１のファスナーとの間での好ましい係合（ねじ込み）について示した側断面である。
【図１０】本発明の他の実施形態に係る係合インジケータを備えるファスナーカプラを展開して示している斜視図である。
【図１１】本発明の他の実施形態に係る図１０のファスナーカプラが組付けされた状態について示した等角図である。
【図１２】本発明の他の実施形態に係り、図１０のファスナーカプラと第１のファスナーとの間での好ましい係合（ねじ込み）について示した側断面である。
【発明を実施するための形態】
【０００９】
添付図を伴った後述される詳細な記述は、本発明の好ましい実施形態を明らかに記述することを意図しているものであって、本発明が実施されるかもしれない単なる一形式を示すことを意図したものではない。同一または同等の機能が、本発明の要旨及び範囲内に包含されることを意図した異なる実施形態によって達成される可能性のあることを理解すべきである。図面では、全体にわたって、数字等は要素等を示すために使用される。更に、用語"を備える（comprises）、"、"を備える（comprising）、"またはその他の変化は、非排他的な包含をカバーすることを意図しており、例えば、複数の要素またはステップのリストを備えた、モジュール、回路、デバイスのコンポーネント、構造そして方法のステップは、それらの要素を含むだけではなく、そのようなモジュール、回路、デバイスコンポーネントまたはステップとしては明示的には記載されてはいないまたは本来的ではない他の要素またはステップも含むことができる。“・・・を備える（comprises..a）”によって進められる要素またはステップは、さらなる制約なしで、その要素またはステップを構成する追加の同一の要素またはステップの存在を除外しない。
【００１０】
図１を参照すると、本発明の一実施形態に係る係合インジケータを備えたファスナーカプラ１００の概略展開した、斜視図が示されている。ファスナーカプラ１００は、その開口端１０８で第１のファスナー（図示せず）を受けるための第１内部キャビティ１０６を規定している壁部１０４を備えている本体１０２を有している。好ましい実施形態では、本体１０２は筒状体の長ナットであり、そして第１内部キャビティ１０６は開口端１０８から延在して前記筒状体の長手方向軸に沿うねじ孔である。前記第１ファスナーはボルトであり、長ナット及びボルトとの間の好ましい係合を実現するため所定の係合深さで、前記ねじ孔内にねじ留めされる。好ましい実施形態では、前記本体は金属あるいは合金材料により形成される。
【００１１】
ファスナーカプラ１００は、基部１１２、この基部１１２の異なる側部から上方へ延在している複数の腕部１１４、そして、前記複数の腕部１１４にそれぞれ接続されている複数のインジケータ部１１６を有するインジケータ１１０を更に含み、組付けされた後において、基部１１２と腕部１１４とは前記第１内部キャビティ１０６内に収納され、一方でインジケータ部１１６は開口端１０８の周縁部にて露出している。好ましい実施形態では、インジケータ１１０は基部１１２の少なくとも１つから延在している複数の腕部１１４を少なくとも１つ含み、そして、少なくとも１つインジケータ部１１６は、少なくとも１つの腕部１１４に接続されている。
【００１２】
図２および図３のそれぞれは、本発明の実施形態に係るインジケータ１１０の正面図と平面図とを示している。好ましい実施形態では、腕部１１４が開口端１０８から第１内部キャビティ１０６内に収納されたときに、第１内部キャビティ１０６からインジケータ１１０が抜け落ちることを防止するため、腕部１１４が壁部１０４の内側に対して係合して押圧するように、腕部１４は外側に向いて延在している。好ましい実施形態では、腕部１１４は、基部１１２の周囲に実質的に等間隔で配設されている。腕部１１４の長さは、予め設定された係合深さに基づいて規定されている。
【００１３】
図４は、図３のＡ−Ａ線によるインジケータ１１０の側断面図である。インジケータ部１１６のそれぞれは、段部１１７により好ましくは腕部１１４から外側へ突出している。好ましい実施形態では、腕部１１４とインジケータ部１１６との間それぞれに接続される複数の首部１１８を、インジケータ１１０は更に含んでいる。好ましい実施形態では、各首部１１８の強度は、腕部１１４の強度よりも低い。好ましい実施形態では、首部１１８の厚さは、腕部１１４の厚さよりも薄い。首部１１８の厚さは、腕部の厚さの１／２以下とするのが好ましい。他の好ましい実施形態としては、首部１１８の幅は腕部１１４の幅よりも狭い。首部１１８の幅は、腕部の幅の４／５以下とするのが好ましい。好ましい実施形態では、インジケータ１１０は、アクリロニトリル  ブタジエン  スチレン（ＡＢＳ）、ポリオキシメチレン（ＰＯＭ）などのような樹脂材料で形成する。
【００１４】
図５は本体１０２の等角図である。好ましい実施形態では、本体１０２は、複数の腕部１１４をそれぞれ受けるため、壁部１０４の内側にそれぞれが長手方向に形成された、複数の案内溝１２０を有している。
【００１５】
図６と図７のそれぞれは、図１の組付けされたファスナーカプラ１００の等角図と平面図を示している。そして、図８は、図７におけるＢ−Ｂ線でのファスナーカプラ１００の側断面図である。好ましい実施形態では、それぞれの案内溝１２０の最小深さは、収納された腕部１１４の厚さと同等であり、収納される腕部１１４が案内溝１２０内に十分に嵌め込まれるようになっている。好ましい実施形態では、インジケータ部１１６は開口端１０８上で、これに沿って延在している。
【００１６】
好ましい実施形態では、本体１０２は、第２ファスナー（図示しない）を受けるための第２内部キャビティ１２２を更に有している。好ましい実施形態では、第２内部キャビティ１２２はねじ孔であり、第２ファスナーは前記ねじ孔にねじ込まれるねじ軸を有するアンカーである。好ましい実施形態では、第１、第２内部キャビティ１０６、１２２は本体１０２の貫通しているねじ孔を構成する。
【００１７】
図９は、図１のファスナーカプラ１００と第１ファスナー１２４との間の好ましい係合を示す側断面図である。第１ファスナー１２４は、所定の係合深さに到達するように第１内部キャビティ１０６内にねじ込まれる。第１ファスナー１２４が係合し、そして更に前記所定の係合深さに到達するように基部１１２を内部へ押圧する。インジケータ部１１６は開口端１０８の周縁部で止められており、そしてインジケータ部１１６と腕部１１４との間の張力により、その時に首部１１８が破壊される。これにより、インジケータ部１１６がファスナーカプラ１００から脱落し、開口端１０８の周縁部において見えなくなる。周縁部に露出しているインジケータ部１１６の無いファスナーカプラ１００は、第１ファスナー１２４が前記所定の係合深さに到達したことを示す。すなわち、ファスナーカプラ１００と第１ファスナー１２４との間の好ましい係合が達成されたということであり、これは、下記のように、簡単に決定される。好ましい実施例では、インジケータ部１１６の色が本体１０２の色とは異なるものである。
【００１８】
図１０は、本発明の他の実施形態に対応しているファスナーカプラ２００を展開した、斜視図であり、また図１１は図１０の組付けされたファスナーカプラ２００の等角図である。ファスナーカプラ２００は、このファスナーカプラ２００が本体１０２の案内溝１２０の幅と同等の幅であるインジケータ部２０４を含んでいるインジケータ２０２を有し、ここでインジケータ部２０４を備えた腕部１１４は概ねにおいて帯形形状である、という点を除いて、図１のファスナーカプラ１００と本質的に同じである。
【００１９】
図１２は、図１０のファスナーカプラ２００と第１ファスナー１２４との間の好ましい係合の側断面図である。インジケータ部２０４は、第１ファスナー１２４が係合し、そして、更に前記所定の係合深さに到達するように基部１１２を内部へ押圧したときに、腕部１１４により案内溝１２０に沿って、本体１０２の第１内部キャビティ１０６内へ引かれ、ここで第１ファスナー１２４が前記所定の係合深さに到達すると、インジケータ部２０４が第１内部キャビティ１０６内に十分に引き込まれるようになっており、よって開口端１０８の周縁部においては確認できず、これにより第１ファスナー１２４が前記所定のねじ込み深さに到達したという事が示される。すなわち、ファスナーカプラ２００と第１ファスナー１２４との間の好ましい係合が達成されたということであり、これは、下記のように、簡単に決定される。好ましい実施例では、インジケータ部２０４の色が本体１０２の色とは異なるものである
【００２０】
本発明の好適な実施形態についての説明は、図示及び説明の目的で説明されたもので、本発明を開示する形態に限定したり、網羅したりしているものではない。当業者は、本発明の広義の概念を逸脱しない範囲で、上述した実施形態に変更を加えることができることを理解すべきである。このことは、本発明が開示した特定の態様に限定されるものではなく、特許請求の範囲によって規定される本発明の精神及びその範囲内での変更を含むものであることが理解される。
【図１】
2019078404.tif 000003
【図２】
2019078404.tif 000004
【図３】
2019078404.tif 000005
【図４】
2019078404.tif 000006
【図５】
2019078404.tif 000007
【図６】
2019078404.tif 000008
【図７】
2019078404.tif 000009
【図８】
2019078404.tif 000010
【図９】
2019078404.tif 000011
【図１０】
2019078404.tif 000012
【図１１】
2019078404.tif 000013
【図１２】
2019078404.tif 000014
【外国語明細書】
2019078404000001.pdf